(57)【要約】【課題】内容物を符号化した医療用注射器、注射器セット及び注射器内容物識別方法を提供する。【解決手段】医療用の内容物を符号化した注射器（２）には、略筒状体（４）及び該略筒状体４に滑動可能に配設するプランジャ（６）を備える。注射器（２）に導入する注射器内容物の種類に対応する内容物符号（７０）を永久的及び直接に略筒状体（４）又はプランジャ（６）又は両方に形成する。該符号は、同じ設計の異なる注射器に使用して異なる注射器内容物の種類を受容するよう構成した１組の内容物符号から選択される。独自の内容物符号を有するかかる注射器のセット（８０）を、このように医療処置で使用して、注射器内容物を個々に識別し、それにより注射器の誤識別を最小限に抑えられる。
2006520639.tif 000002
【特許請求の範囲】
【請求項１】
プランジャを受容するよう構成した開口端部と、注射針組立体を受容するよう構成した部分的閉端部と、前記開口端部と前記部分的閉端部との間に延在する中央バレル部分を有する略筒状体であって、前記バレル部分は注射器内容物を受容し保持する容器としての役割を果たすよう構成した液体チャンバを画定し、前記開口端部、前記部分的閉端部及び前記バレル部分を略同軸列上に配置する前記略筒状体と、
前記注射器本体に滑動可能に配設するプランジャであって、前記略筒状体の前記部分的閉端部に関連して注射器内容物を排出するよう構成した先端部と、前記注射器の使用中に働くよう構成した基端部と、前記先端部と前記基端部との間に延在するステム部とを有する前記プランジャ、及び  
前記注射器に導入する注射器内容物の種類に対応した内容物符号であって、前記略筒状体、前記プランジャ、又は両方に永久に直接に形成し、同じ設計の異なる注射器に使用して、異なる注射器内容物の種類を受容するよう構成した１組の内容物符号から選択する前記内容物符号と、
を備えること、を特徴とする内容物を符号化した医療用注射器。
【請求項２】
前記内容物符号には色符号標識を含むこと、を特徴とする請求項１に記載の内容物を符号化した注射器。
【請求項３】
前記内容物符号には文字符号標識を含むこと、を特徴とする請求項１に記載の内容物を符号化した注射器。
【請求項４】
前記内容物符号には色符号標識及び文字符号標識を含むこと、を特徴とする請求項１に記載の内容物を符号化した注射器。
【請求項５】
前記内容物符号には色で符号化した文字標識を含むこと、を特徴とする請求項１に記載の内容物を符号化した注射器。
【請求項６】
前記内容物符号には人間が解読可能な符号を含むこと、を特徴とする請求項１に記載の内容物を符号化した注射器。
【請求項７】
前記内容物符号には機械可読な符号を含むこと、を特徴とする請求項１に記載の内容物を符号化した注射器。
【請求項８】
前記内容物符号を前記プランジャ及び前記略筒状体の両方に形成すること、を特徴とする請求項１に記載の内容物を符号化した注射器。
【請求項９】
前記プランジャに形成した前記内容物符号には色符号標識を含み、前記略筒状体に形成した前記内容物符号には文字符号標識を含むこと、を特徴とする請求項８に記載の内容物を符号化した注射器。
【請求項１０】
前記プランジャに形成した前記内容物符号には色符号標識を含み、前記略筒状体に形成した前記内容物符号には、前記プランジャの前記色符号標識と適合する色で符号化した文字標識を含むこと、を特徴とする請求項８に記載の内容物を符号化した注射器。
【請求項１１】
複数の注射器であって、該注射器其々には、
プランジャを受容するよう構成した開口端部と、注射針組立体を受容するよう構成した部分的閉端部と、前記開口端部と前記部分的閉端部との間に延在する中央バレル部分を有する略筒状体であって、前記バレル部分が注射器内容物を受容し保持する容器としての役割を果たすよう構成した液体チャンバを画定し、前記開口端部、前記部分的閉端部及び前記バレル部分を略同軸列上に配置する前記略筒状体、及び
前記注射器本体に滑動可能に配設するプランジャであって、前記略筒状体の前記部分的閉端部に関連して注射器内容物を排出するよう構成した先端部と、前記注射器の使用中に働くよう構成した基端部と、前記先端部と前記基端部との間に延在するステム部とを有する前記プランジャと、を含む前記複数の注射器と、
各注射針組立体を前記略筒状体の１つの前記部分的閉端部で装着するよう構成した複数の前記注射針組立体、及び
各内容物符号は独自であり、前記注射器の１つ又は前記注射針組立体の１つ又は両方に永久に直接に形成されて、注射器内容物の種類を識別する複数の前記内容物符号と、を備えること、
それにより、前記注射器を前記注射針組立体と結合させ、医療処置で使用するために注射器／注射針組立体を取り合わせて配列してもよく、各注射器／注射針組立体を注射器内容物の種類で予め充填し、前記内容物符号の１つを表示して前記注射器内容物を個別に識別し、前記注射器／注射針組立体を前記取り合わせにおいて他の注射器／注射針組立体と区別すること、
を特徴とする医療処置に使用するための内容物を符号化した注射器セット。
【請求項１２】
前記内容物符号には色符号標識を含むこと、を特徴とする請求項１１に記載の内容物を符号化した注射器セット。
【請求項１３】
前記内容物符号には文字符号標識を含むこと、を特徴とする請求項１１に記載の内容物を符号化した注射器セット。
【請求項１４】
前記内容物符号には色符号標識及び文字符号標識を含むこと、を特徴とする請求項１１に記載の内容物を符号化した注射器セット。
【請求項１５】
前記内容物符号は色で符号化した文字標識を含むこと、を特徴とする請求項１１に記載の内容物を符号化した注射器セット。
【請求項１６】
前記内容物符号には人間に解読可能な符号を含むこと、を特徴とする請求項１１に記載の内容物を符号化した注射器セット。
【請求項１７】
前記内容物符号には機械可読な符号を含むこと、を特徴とする請求項１１に記載の内容物を符号化した注射器セット。
【請求項１８】
前記内容物符号を前記注射器本体に形成すること、を特徴とする請求項１１に記載の内容物を符号化した注射器セット。
【請求項１９】
前記内容物符号を前記注射器プランジャに形成すること、を特徴とする請求項１１に記載の内容物を符号化した注射器セット。
【請求項２０】
前記内容物符号を前記注射針組立体に形成すること、を特徴とする請求項１１に記載の内容物を符号化した注射器セット。
【請求項２１】
医療処置時に使用するために配列した１組の注射器において注射器内容物を識別する方法であって、該方法は、
複数の注射器を選択することであって、該注射器其々は、
プランジャを受容するよう構成した開口端部と、注射針組立体を受容するよう構成した部分的閉端部と、前記開口端部と前記部分的閉端部との間に延在する中央バレル部分を有する略筒状体であって、前記バレル部分が注射器内容物を受容し保持する容器としての役割を果たすよう構成した液体チャンバを画定し、前記開口端部、前記部分的閉端部及び前記バレル部分を略同軸列上に配置する前記略筒状体、及び
前記注射器本体に滑動可能に配設するプランジャであって、前記略筒状体の前記部分的閉端部に関連して注射器内容物を排出するよう構成した先端部と、前記注射器の使用中に働くよう構成した基端部と、前記先端部と前記基端部との間に延在するステム部とを有する前記プランジャと、を含む、前記複数の注射器を選択すること、
各注射針組立体を前記略筒状体の１つの前記部分的閉端部で装着するよう構成した複数の前記注射針組立体を選択すること、
前記注射器又は前記注射針組立体又は両方の其々が独自の内容物符号を永久に直接にそれらに形成して、注射器内容物の種類を識別すること、
必要に応じて、前記注射針組立体を前記注射器に装着して注射器／注射針組立体対を形成すること、
前記独自の内容物符号に従い前記注射器に注射器内容物の種類を導入し、それにより前記内容物符号と前記注射器内容物の種類との間に相関関係を存在せしめること、及び
医療処置で使用するために注射器／注射針組立体対を取り合わせて前記注射器／注射針組立体対を配列すること、を備えること、
それにより注射器／注射針組立体対其々を注射器内容物で予め充填し、１つの前記内容物符号を表示して前記注射器内容物を個別に識別し、前記注射器／注射針組立体対を前記取り合わせにおける他の注射器／注射針組立体対と区別すること、
を特徴とする方法。
【請求項２２】
前記内容物符号には色符号標識を含むこと、を特徴とする請求項２１に記載の方法。
【請求項２３】
前記内容物符号には文字符号標識を含むこと、を特徴とする請求項２１に記載の方法。
【請求項２４】
前記内容物符号には色符号標識及び文字符号標識を含むこと、を特徴とする請求項２１に記載の方法。
【請求項２５】
前記内容物符号には色付きの文字符号標識を含むこと、を特徴とする請求項２１に記載の方法。
【請求項２６】
前記内容物符号には人間に解読可能な符号を含むこと、を特徴とする請求項２１に記載の方法。
【請求項２７】
前記内容物符号には機械可読な符号を含むこと、を特徴とする請求項２１に記載の方法
【請求項２８】
前記内容物符号を前記注射器本体に形成すること、を特徴とする請求項２１に記載の方法。
【請求項２９】
前記内容物符号を前記注射器プランジャに形成すること、を特徴とする請求項２１に記載の方法。
【請求項３０】
前記内容物符号を前記注射針組立体に形成すること、を特徴とする請求項２１に記載の方法。
【請求項３１】
プランジャを受容するよう構成した開口端部と、注射針組立体を受容するよう構成した部分的閉端部と、前記開口端部と前記部分的閉端部との間に延在する中央バレル部分を有する略筒状体であって、前記バレル部分が注射器内容物を受容し保持する容器としての役割を果たすよう構成した液体チャンバを画定し、前記開口端部、前記部分的閉端部及び前記バレル部分を略同軸列上に配置する前記略筒状体と、
注射器本体に滑動可能に配設するプランジャであって、前記略筒状体の前記部分的閉端部に関連して注射器内容物を排出するよう構成した先端部と、前記注射器の使用中に働くよう構成した基端部と、前記先端部及と前記基端部との間に延在するステム部とを有する前記プランジャと、を有する前記注射器と、
前記注射器本体の前記部分的閉端部に装着するよう構成した注射針組立体と、
前記注射器に導入する注射器内容物の種類に対応した内容物符号であって、前記略筒状体、前記プランジャ、又は両方に永久に直接に形成し、同じ設計の異なる注射器に使用して異なる注射器内容物の種類を受容するよう構成した１組の内容物符号から選択する前記内容物符号と、
を備えること、を特徴とする医療用の内容物を符号化した注射器及び注射針組立体。
【発明の詳細な説明】
【技術分野】
【０００１】
本発明は、医療用途向けに設計した注射器に関し、特には、予め注射器内容物で充填するよう構成して医療処置中に使用する医療用注射器に関する。
【背景技術】
【０００２】
背景としては、医療用注射器を使用して、多様な液状の生物活性化合物を人体に注射している。典型的な注射器は、透明又は半透明、及び無色になるように製造され、バレルはポリエチレン又はポリプロピレンなどのプラスチック材料製で、プランジャは同じ材料で作られシリコーンゴム製の先端で被覆されている。注射針は典型的にはステンレス鋼などの金属製である。外側の目盛標識は、典型的には黒インクで印刷され、バレル外側に付されてミリリットルで容積を表示する。通常、製造業者の名称又はロゴの可能性を除いて、他の標識は表示されない。 
【０００３】
待機手術から救急医療まで、様々な医療処置が存在するが、そこでは処置中の異なる時間に異なる薬剤を、多くの場合順次一定分量で、患者に供給するために、幾つかの注射器が必要となる。供給する物質は殆ど全く無色透明な液体で外観は水と同じである。しかしながら、これらの物質は、水の様に無害ではなく、もし誤って患者に投与すれば、極めて害を及ぼす、又は死にさえも至らす可能性がある。例としては、麻酔薬、筋弛緩薬、局部麻酔薬、血管収縮薬、血管拡張薬、拮抗薬が挙げられる。
【０００４】
医療処置の準備時における標準的技法では、適切な薬剤、麻酔薬やその他の必要な薬剤（通常は１つの処置に対して複数のカテゴリーが必要となる）を明確にラベル表示がしてある薬瓶から取出し、無標識のラベル表示のない上記タイプの注射器に抽出し、それにより処置前に各注射器に予め充填しておく。充填した注射器を、処置中に頻繁に注射器が容易に選択及び使用されるよう、医師の近くにある手術トレイ上に配置する。 
【０００５】
残念なことに、各注射器やその内容物の識別については、典型的には、その場その場の配置手順や注射器が置かれた紙製のリネンやプレースマット上に走り書きされた手書きのメモによるところとなっている。外科病棟又は救急処置室という慌しい環境では、様々な注射器を常に正しく識別すると言っても困難である。幾つかの事例において、注射器の偶然の置き違えや誤配置が原因で、不適切な薬剤を誤って投与してしまい、最悪な結果に繋がることも時折発生している。
【０００６】
したがって、医療処置用に注射器及びその内容物を識別する方法を直ちに改善する必要がある。特に必要なのが、注射器の設計、それに加えて注射器内容物を識別する方法であり、それにより不適切な注射器を医療処置中に選択して、有害の又は命に関わる可能性のある物質を患者に投与する確率が大幅に低減される。 
【発明の開示】
【課題を解決しようとするための手段】
【０００７】
医療処置中に使用して、注射器内容物の種類を素早く、正確に、継続して識別可能にする内容物を符号化した新規の医療用注射器により、上述した問題点を解決し、技術の進歩を齎す。この内容物を符号化する注射器には、プランジャを受容するよう構成した開口端部と、注射針組立体を受容するよう構成した部分的閉端部、及び開口端部と部分的閉端部の間に延在する中央バレル部分を有する略筒状体を備える。バレル部分は、注射器内容物を受容し保持する容器としての役割を果たすよう構成した液体チャンバを画定し、開口端部と部分的閉端部に略同軸列上に配置される。プランジャは注射器本体内に滑動可能に配設され、略筒状体の部分的閉端部と関連して注射器内容物を排出するよう構成した先端部、注射器使用中に働くよう構成した基端部、及び先端部と基端部との間に延在するステム部を有する。注射器に導入する注射器内容物の種類に対応する内容物符号を、略筒状体、プランジャ、略筒状体に装着する注射針組立体に、又は上記の任意の組み合わせに、永久に及び直接に形成する。内容物符号を、同じ設計の異なる注射器に使用して異なる注射器内容物の種類を受容するよう構成した１組の内容物符号から選択する。独自の内容物符号を有するかかる注射器をこのように医療処置中に複数使用して、注射器内容物を個別に識別することで、注射器の誤識別を最小限に抑えられる。 
【０００８】
本発明の例示的な実施例においては、内容物符号として、色符号、文字符号、色付き文字符号、又は上記のいずれの組み合わせも可能である（数字又は英数字符号も使用可能である）。内容物符号は符号を表示する構成要素の表面上に形成可能である。これはインク又は塗料、ステッカー又は粘着ラベル、又は他の永久的な標識手段を用いて実現できる。前述の付与方法のいずれかを用いて、内容物符号を構成要素の全表面領域に、又は１つ又は複数の選択された該表面領域の部分に付与できる。内容物符号は、構成要素を形成する材料全体に色符号を拡散させるなど、構成要素内部に配設も可能である。符号を翻訳する機械と共に機械可読な内容物符号を使用することもできる。 
【０００９】
本発明はさらに医療用の内容物を符号化した注射器セットを意図する。注射器セットには、複数の注射器及び付属の注射針組立体を備える。各注射器及び／又は注射針組立体には、注射器又は注射針組立体を他の全ての注射器セットの構成要素と視覚的に区別する独自の内容物符号を有する。従って、注射器を注射針組立体と結合させ、注射器／注射針組立体対を取り合わせて配列し、各注射器／注射針組立体対に予め注射器内容物を充填して、内容物符号の１つを表示すると、内容物符号によりそれらは容易に互いに区別可能になる。 
【００１０】
本発明は、医療処置で使用するために配列される１組の注射器において、注射器内容物を識別する方法も意図する。本方法では複数の注射器及び関連する注射針組立体を選択する。注射器及び／又は注射針組立体で、各注射器／注射針組立体対に導入する注射器内容物の種類を個々に識別する独自の内容符号を表示する。注射器内容物を、各注射器／注射針組立体対に、独自の内容物符号に従い、導入するので、内容物符号と注射器内容物との間に相関関係が存在する。かかる相関関係を、予め設定した内容物符号の相関関係基準に従い作成する、又は各注射器／注射針組立体対に導入する注射器内容物の種類を記録して、その場で作成することもできる。その後、注射器／注射針組立体対を適切にトレイに取り合わせて配列して医療処置で使用してもよい。 
【発明を実施するための最良の形態】
【００１１】
次に図について述べると、複数の図全てにおいて同じ参照番号は同じ要素を意味し、図１では、本発明の一例示的実施例による内容物を符号化した注射器２を示す。注射器２は、その構成を一例としてのみ示すもので、限定を目的とするものではなく、注射器２は細長の略筒状体４及び該略筒状体内に滑動可能に配置する細長のプランジャ６から動作可能に構成される。  
【００１２】
注射針組立体８は、従来の尖ったカニューレ及びルアーロックフィッティングを備え（しかし他の方法でも構成可能である）、注射器２の使用前に略筒状体４に装着するよう構成する。なお注射針組立体８を注射器２自体の一部ではなく、付属部品と見なす。実際に、注射器２は場合によっては、注射器２に注射針組立体８を装着せずに、医療施設に供給されることがある。その代わり、着脱可能なキャップ部材（図示せず）を備えて、注射針組立体８を取付ける略筒状体４端部が被覆されている。注射針組立体８は、注射器２と同包で、又は別々に包装されて配布され、注射器を使える状態にするとき、キャップ部材を取り外して略筒状体４に取付けることもある。 
【００１３】
略筒状体４は構造的には、プランジャ６を受けるよう構成した開口端部１０、注射針組立体８を受けるよう構成した部分的閉端部１２、開口端部と部分的閉端部との間で延在する細長の中央バレル部分１４を備えており、該中央バレル部分１４は注射器の内容物を受容し保持するための容器としての役割を果たす液体チャンバを画定する。これらの構造体は様々な従来の特徴で特徴付けられるが、その特徴について、本発明で改善される点を説明する文脈をそれ以降で提供するために、ここで簡潔に記述しておく。
【００１４】
図１Ａをさらに参照して理解されるように、略筒状体４の開口端部１０は開口部１６により画定されるが、該開口部１６は、円形状をしており、プランジャ６の略筒状体４への導入時にプランジャ６幅を収容するサイズを有する。指掛フランジ１８は開口部１６と略同一平面に位置する関係であり、略筒状体４の長手寸法方向に対して直角な方向で略筒状体外側に延在している。フランジ１８により通常、指が梃子の作用点になり、プランジャ６による減圧が容易になると共に、注射器使用時に略筒状体４の扱いや位置決めも容易になる。
【００１５】
略筒状体４の部分的閉端部１２は、短い円錐台状の肩部２０で形成されており、該肩部２０は略筒状体のバレル部分１４からルアーロックチップ２２まで延在している。図１Ｂをさらに参照して理解されるように、チップ２２には、外側にネジ山を備えたルアーロックフィッティングを有する注射針組立体８を、受容及び係合可能にする内部ネジ溝パターン２３を形成した筒状壁部を備える。またチップ２２にはテーパ状の筒状ノズル２４を備え、該ノズルは円錐台の形状をしており中央オリフィス２６が形成されている。当然のことながら、標準的なルアーチップをルアーロックチップ２２の代わりに使用できる。
【００１６】
略筒状体４の中央バレル部分１４は筒状の側壁部２８から形成され、該側壁部には通常の目盛３０が表示され、中には数字が付されているものもある。よく知られているように、数字付きの場合の各目盛は典型的には注射器内容物１ミリリットルを示している。図１Ｃをさらに参照して理解されるように、側壁部２８は円形断面の内部液体チャンバ３２を画定する。液体チャンバ３２は、注射器２で供給する注射器の内容物量を受容し保持するための容器としての役割を果たす。この量は、略筒状体の開口端部１０から液体を放出しないよう液体チャンバ３２を封じるプランジャ６の位置によって変化する。液体チャンバ３２の他方の端部へ／からの液体の連絡は、ノズル２４の軸方向のオリフィス２６を通して行なわれる。 
【００１７】
従来のように、略筒状体４の開口端部１０、部分的閉端部１２、及びバレル部分１４はほぼ同軸列に配置される。集合的に、略筒状体４のこれらの構造体は、ポリエチレン、ポリプロピレンなどの熱可塑性プラスチック製で、射出成形などの成形法を用いて形成される。或いは、ガラスも使用可能であるが、あまり一般的ではない。従来のように、少なくとも略筒状体４のバレル部分１４を比較的透明又は半透明にしたため、液体チャンバ３２内の注射器内容物が見え、さらに目盛３０も目立つようにすることで注射器２内の注射器内容物の量の決定が容易になる。目盛３０は従来のように適切なインク印刷加工で略筒状体の側壁部２８外側に付けられる。 
【００１８】
プランジャ６は、先端部３４、基端部３６、先端部と基端部との間に延在するステム部３８を有する細長の要素として構成される。これらの構造体は、また様々な従来の特徴で特徴付けられるが、そうした特徴について、本発明で改善される点を説明する文脈をそれ以降で盛り込むために、ここで簡潔に記述しておく。 
【００１９】
プランジャ６の先端部３４はストッパ４０で形成され、該ストッパはシリコーンゴム又は他の適切な生体適合性材料製で、略筒状体の液体チャンバ３２の一端部を塞ぐよう構成されている。ストッパ４０は、液体中で略筒状体の筒状側壁部２８内部と密接に嵌合した状態で滑動可能に可動な範囲で、ピストンとしての役割も果たす。ストッパ４０により、略筒状体４の部分的閉端部１２に向けてプランジャを軸方向に前進させると、液体チャンバ３２外に注射器内容物を筒状ノズル２４のオリフィス２６を通じて押出せる。反対に、ストッパ４０により、略筒状体４の部分的閉端部１２からプランジャを軸方向に引出すと、液体チャンバ３２内に注射器内容物を筒状ノズル２４のオリフィス２６を通じて引入れられる。
【００２０】
プランジャ６の基端部３６は、注射器２の使用中に働くよう構成される。図１Ｄのさらなる参照により理解されるように、基端部３６は、プランジャの長手寸法方向に直角に延在する親指押圧フランジ４２で形成される。フランジ４２により通常、親指又は指が梃子の作用点となり、注射器使用中、プランジャ６が両軸方向に移動可能になる。
【００２１】
プランジャ６のステム部３８は、プランジャの先端部３４と基端部３６を連絡する細長の部材である。図１Ｅのさらなる参照により理解されるように、ステム部３８は通常、４つのフランジ要素４４、４６、４８及び５０で形成されており、それらは共通の長手方向縁部を有し、互いに９０度の角度をなして十字型形状を形成している。これらのフランジ要素によりステム部３８に構造的完全性が与えられる一方、ステム部製造に要する材料の量が減少する。図１及び図１Ｆをさらに参照して理解されるように、プランジャ６の先端部３４に隣接する部分のステム部３８には、間隔を空けて接近した円板形部材５２及び５４の一対が形成されている。円板５２はストッパ４０の支持基部となる。円板５４は、プランジャ６の略筒状体４からの不注意な引抜きを、開口端部１０付近の略筒状体の筒状側壁部２８内部に設置したリップ部（図示せず）を嵌合させて、防ぐ。図１で最も良く示されるように、基端部３６に隣接する部分のステム部３８には、フランジ要素４４、４６、４８及び５０其々に切欠き部又は凹部５６を形成している。切欠き部５６により、フランジ４２との指掛かりが良くなり、プランジャ６を略筒状体４から引抜いて注射器内容物を注射器２内に吸込める。 
【００２２】
注射針組立体８は構造的にステンレス鋼製などの先の尖ったカニューレ５８を備え、ポリエチレン、ポリプロピレン製などのルアーロックフィッティング６０に装着される。フィッティング６０には、略筒状体のルアーロックチップ２２の内部ネジ溝パターン２３と係合するように構成した外部ネジ山パターン６２を有する。当然ながら、ネジ山のない標準的なルアーフィッティングも使用できる。図示しないが、フィッティング６０には中央穴部が形成されており、該中央穴部はフィッティング６０を略筒状体のルアーロックチップ２２に装着すると、テーパ状筒状ノズル２４の外部で係合するよう構成されている。これにより、液体供給部材５８から、ノズルのオリフィス２６へ、そして略筒状体４の液体チャンバ３２へという、隙間のない液体通路が確立される。
【００２３】
注射器２の従来の特徴について記述したが、次に本発明により改善された点について詳しく述べていく。図１より、注射器２には注射器が供給する注射器内容物の種類に対応する例示的な内容物符号が付与されていることが理解される。特に、図１の内容物符号は、プランジャ６に色符号標識７０として永久的に形成されている。説明目的のみに、色符号標識７０として線を引いて青色に示している。この色を使い、局部麻酔薬など、特定の注射器内容物の種類を表す。このようにして、色符号標識７０を用いて、注射器２が供給する全ての注射器内容物を生物活性剤のあるカテゴリーに属するものとして、識別する。 
【００２４】
色符号標識７０を、プランジャ６のステム部３８全体及び基端部３６に及ぶように示しているが、代わりに、色符号標識７０をステム部３８のみ、又は基端部３６のみに付与できる。また、ストッパ４０にも付与できる。どのようなプランジャ構成材にも色符号標識７０は付与できるので、標識をそうした構成材の露出した全表面上で可視的に形成できる、又は構成材の選択領域のみに限定できる。前者を実施する場合には、プランジャの全位置で最大の可視性が確保される。例えば、色符号標識７０をステム部３８全体に渡り形成する場合は、標識が略筒状体の透明又は半透明な筒状側壁部２８を通して目立つため、プランジャ６が略筒状体４内に全て包含されても比較的容易に識別できる。後者を実施する場合には、色符号標識７０の表示方法を可変できる。例えば、色符号標識７０をフランジ４２、４４、４６、４８、５０、５２及び５４の内１つ又は複数の縁部に沿って、又はかかるフランジの主な平面上に、又は上記の任意の組み合わせで付与できる。 
【００２５】
色符号標識７０を様々な付与技術を使用してプランジャ６上に直接形成できる。例えば、色符号標識７０を、表面層として、インクを印刷法で、塗料を塗装法で、又は他のコーティングを任意の適切なコーティング技術により其々塗布して、付与できる。或いは、色符号標識７０を、プランジャの成形に使用した熱可塑性プラスチック材料に着色剤として添加して、プランジャ６全体に拡散させることも可能である。さらに別の変形例では、色符号標識７０に１つ又は複数のステッカー又は粘着ラベル（例えば、色の”点”）を使い、プランジャ基端部３６のフランジ４２底部など、プランジャ６上の選択した表面位置に貼付して付与するだろう。 
【００２６】
次に図２〜９を参照して、本発明の他の実施例を複数記述し、それによりいくつかの異なる方法で内容物を符号化した注射器を本発明の原則により構成してもよいことを説明する。これら他の実施例では、各注射器の構造は図１及び図１Ａ〜１Ｆの注射器２とほぼ同様である。したがって、図１及び図１Ａ〜１Ｆの構成要素とほぼ同様の機能を果たすほぼ同様の構成要素については、図２〜９の構成要素には”ａ”、”ｂ”、”ｃ”などの添字を使用して識別するのを除き、同一番号を付してある。
【００２７】
図２では、注射器２ａには、プランジャ６ａに色符号標識７０ａ及び文字符号標識７２ａとして永久に形成した内容物符号を有する。説明目的のみであるが、色符号標識７０ａとして青色で線が引かれ、文字符号標識７２ａとして”局所麻酔薬”と書かれている。このように色符号標識７０ａ及び７２ａを利用して、生物活性剤のあるカテゴリーに属するものとして注射器２ａが供給する全ての注射器内容物を識別する。当然ながら、色符号標識７０ａを、図１の色符号標識７０と同位置でプランジャ６ａに、同じ付与技術を使用して、形成できる。文字符号標識７２ａをプランジャのステム部３８の一部分に渡って表示している。その他の文字符号標識７２ａ位置としては、文字を記載するのに十分な大きさがあれば、使用可能である。なお、文字符号標識７２ａとして任意の数字を用いることができる。ステム部３８ａに関して、典型的な文字符号標識７２ａ数としては、１つのフランジの１つの表面に形成した１つの標識から、ステム部の十字型構造により画定されるフランジの８つの主表面其々の８つの標識までが範囲となるだろう。文字符号標識７２ａが文字から成る場合、標識は典型的にはプランジャ表面にインクを印刷法で塗布して形成する。代わりに、又は印刷法と共に、文字符号標識７２ａを、プランジャ６ａ形成中に、プランジャ６ａに文字の形状をした標識を表面レリーフとして成形することにより、形成できる。さらに別の変形例では、文字を表示した１つ又は複数のステッカー又は粘着ラベルを使い、プランジャ６の選択した表面位置にそれを固定して文字符号標識７２ａを付与するだろう。 
【００２８】
図３では、注射器２ｂには、プランジャ６ｂに色で符号化した文字標識７２ｂとして永久に形成する内容物符号を有する。説明目的のみであるが、色で符号化した文字標識７２ｂは赤色で印字されていると見なし、”麻酔薬”と書かれている。このように標識７２ｂを利用して、生物活性剤のあるカテゴリーに属するものとして注射器２ｂが供給する全ての注射器内容物を識別する。当然ながら、色で符号化した文字標識７２ｂを、図２の文字符号標識７２ａと同位置でプランジャ６ｂに、同じ付与技術を使用するが、色インクを塗布して、形成できる。この場合も、任意の数の色で符号化した文字標識７２ｂをプランジャ６ｂに形成してもよく、その範囲としては、プランジャのステム部の十字型構造からすると最も一般的なのは１つ〜８つの標識までである。
【００２９】
図４では、注射器２ｃには、プランジャ６ｂ及び略筒状体２ｃ両方に付与する内容物符号を有する。プランジャ６ｃに付与する内容物符号部分は色符号標識７０ｃとして永久的に形成される。略筒状体２ｃに付与する内容物符号部分は対応する色で符号化した文字標識７４ｃとして永久に形成される。説明目的のみであるが、色符号標識７０ｃとして緑色で線が引かれ、色で符号化した文字標識７４ｃとして緑色だと見なされ、”拮抗薬”と書かれている。このように標識７０ｃ及び７４ｃ両方を利用して、生物活性剤のあるカテゴリーに属するものとして注射器２ｄが供給する全ての注射器内容物を識別する。当然ながら、色符号標識７０ｃを、図１の色符号標識７０と同位置でプランジャ６ｃに、同じ付与技術を使用して形成できる。色で符号化した文字標識７４ｃは、略筒状体のバレル部分１４ｃの一部に軸方向に渡って示されている。又、標識７４ｃを、空間が許せば、周囲に渡って付与することもできる。その他の標識７４ｃ位置としては、文字を記載するのに十分な大きさがあれば、フランジ１８ｃ底部又は円錐台状の肩部２０ｃなども、使用可能である。空間が許せば、複数の色で符号化した文字標識７４ｃを付与可能である。色で符号化した文字標識７４ｃが文字から成る場合、標識を典型的には略筒状体表面に所望の色のインクを印刷法で塗布して形成する。さらに、印刷法と共に、色で符号化した文字標識７４ｃを、略筒状体２ｃ形成中に、略筒状体２ｃに文字の形状をした標識を表面レリーフとして成形することにより、形成できる。さらに別の変形例では、文字を表示した１つ又は複数のステッカー又は粘着ラベルを使い、略筒状体２ｃ上の選択した表面位置にそれを固定して色で符号化した文字標識７４ｃを付与するだろう。 
【００３０】
図５では、注射器２ｄが、プランジャ６ｄに色符号標識７０ｄが、略筒状体４ｄに文字符号標識７４ｄが存在する場合で、図４の内容物符号と本質的に同じ内容物符号を有する。しかしながら、文字符号標識７４ｄは色符号化されておらず、黒色で文字が書かれている。説明目的のみであるが、色符号標識７０ｄとして黄色で線が入れられ、文字標識７４ｄとして”弛緩薬”と書かれている。このように標識７４ｄを利用して、生物活性剤のあるカテゴリーに属するものとして注射器２ｄが供給する全ての注射器内容物を識別する。当然ながら、色符号標識７０ｄを、図１の色で符号化した標識７０と同位置でプランジャ６ｄに、同じ付与技術を使用して形成できる。同様に、文字符号標識７４ｄを略筒状体４ｄの図４の色で符号化した文字標識７４ｃと同位置に、同じ付与技術を使用するが、黒色インクを使い、形成できる。空間が許せば、複数の文字符号標識７４ｄを付与してもよい。
【００３１】
図６では、注射器２ｅは、略筒状体２ｄに色符号標識７６ｅとして永久的に形成して内容物符号を有するが、プランジャ２ｅには内容物符号を付与していない。説明目的のみであるが、色符号標識７０として線が引かれ橙色で示されている。この色を使い、血管収縮薬など、特定の注射器内容の種類を表す。このように、色符号標識７６ｅを利用して、生物活性剤のあるカテゴリーに属するものとして注射器２ｅが供給する全ての注射器内容物を識別する。 
【００３２】
色符号標識７６ｅは、開口端部１０ｅ、部分的閉端部１２ｅ、及び細長のバレル部分１４ｅを含む、略筒状体２ｅ全体に渡って示される。或いは、色符号標識７６ｅを開口端部１０ｅ（例えば、フランジ１８ｅ）にのみ、又は部分的閉端部１２ｅ（例えば、円錐台状の肩部及び／又はルアーロックフィッティング２２ｅ）にのみ、又はバレル部分１４（例えば、筒状側壁部２８ｅ）にのみにも付与できる。いずれの略筒状体の構成要素に色符号標識７６ｅを付与する場合にも、その構成要素の全ての露出した表面上に可視的に形成され、又は構成要素の選択された領域に限定して標識を付与することが可能である。前者を実施する場合は、最大の可視性が確保され、一方、後者を実施する場合は、色符号標識７６ｅの表示方法が可変できる。当然ながら、色符号標識７６ｅを、図１の色符号標識７０と関連して前述したいずれの付与技術を用いても形成できる。例えば、色符号標識７６ｅを、表面層として、インクを印刷法で、塗料を塗装法で、又は他のコーティングを任意の適切なコーティング技術により其々塗布して、付与できる。或いは、色符号標識７６ｅを、略筒状体を成形するのに使用した熱可塑性プラスチック材料に着色剤として添加することにより、略筒状体４ｅ全体に拡散することも可能である。さらに別の変形例では、１つ又は複数のステッカー又は粘着ラベル（例えば、色の”点”）を使い、フランジ１８ｅ付近のバレル部分１４ｅなど、略筒状体４ｅの選択した表面位置にそれを貼付して、色符号標識７６ｅを付与するだろう。 
【００３３】
図７では、注射器２ｆは略筒状体４ｆに色符号標識７６ｆ及び文字符号標識７４ｆとして永久的に形成した内容物符号を有する。説明目的のみであるが、色符号標識７６ｆとして橙色で線が引かれ、文字符号標識７４ｆとして”血管収縮薬”と書かれている。このように、色符号標識７６ａ及び７４ｆを利用して、生物活性剤のあるカテゴリーに属するものとして注射器２ｆが供給する全ての注射器内容物を識別する。当然ながら、色符号標識７６ｆを、図６の色符号標識７６ｅと同位置で略筒状体４ｆに、同じ付与技術を使用して形成できる。同様に、文字符号標識７４ｆを、図５の文字符号標識７４ｄと同位置で略筒状体４ｆに、同じ付与技術を使用して形成できる。空間が許せば、複数の文字符号標識７４ｆを付与してもよい。
【００３４】
図８では、注射器２ｇは略筒状体４ｇに色で符号化した文字標識７４ｇとして永久的に形成した内容物符号を有する。説明目的のみであるが、色で符号化した文字標識７４ｇは紫色で印字されていると見なされ、”血管拡張薬”と書かれている。このように、標識７４ｇを利用して、生物活性剤のあるカテゴリーに属するものとして注射器２ｇが供給する全ての注射器内容物を識別する。当然ながら、色で符号化した文字標識７４ｇを、図４の色で符号化した文字標識７４ｃと同位置で略筒状体４ｇに、同じ付与技術を使用して形成できる。空間が許せば、複数の色で符号化した文字標識７４ｇを付与してもよい。 
【００３５】
図９では、注射器２ｈは注射針組立体８ｈに色符号標識７８ｈとして永久的に形成した内容物符号を有するが、略筒状体４ｈ又はプランジャ６ｈには内容物符号を付与していない。説明目的のみであるが、色符号標識７８ｈとして線が引かれ青色で示されている。この色を使い、局所麻酔薬など、特定の注射器内容物の種類を表す。このように、色符号標識７８ｈを利用して、生物活性剤のあるカテゴリーに属するものとして注射器２ｅが供給する全ての注射器内容物を識別する。色符号標識７８ｈは、注射針組立体８ｈのルアーロックフィッティング６０ｈ全体に渡り示されている。色符号標識７８ｈはフィッティング６０ｈの選択した部分にも付与可能である。しかしながら、注射針組立体のサイズが小さければ可視性に支障が出るかも知れない。そうした理由で、色符号標識７８ｈをフィッティング６０ｈ全体に形成したとしても、略筒状体４ｈ又はプランジャ６ｈは両方共注射針組立体８ｈより十分に大きいため、それらにも内容物符号を追加的に付与するのが望ましいかも知れない。当然ながら、色符号標識７８ｈを、図１の色符号標識７０と関連して前述したいずれの付与技術を用いても形成できる。例えば、色符号標識７８ｈを、表面層として、インクを印刷法で、塗料を塗装法で、又は他のコーティングを任意の適切なコーティング技術により其々塗布して、付与できる。或いは、色符号標識７８ｈを、基部を成形するのに使用した熱可塑性プラスチック材料に着色剤として添加することにより、フィッティング６０ｈ全体に拡散することも可能である。さらに別の変形例では、１つ又は複数のステッカー又は粘着ラベル（例えば、色の”点”）を使い、外部ネジ山パターン６２ｈの上部など、フィッティング６０ｈの選択した表面位置にそれを貼付して色符号標識７８ｅを付与するだろう。
【００３６】
当然のことながら、図１〜９に示した例示的な実施例は完全なものではないが、内容物符号を注射器に付与可能な様々な方法の内の単にいくつかを説明することを意図するものである。製造コスト、読み易さ、美しさなどを考慮することにより、多くの他の内容物符号形式も使用が可能である。
【００３７】
次に図１０を参照して、注射器セット８０が内容物を符号化した注射器（上記のような）の群として構成されており、該注射器の其々には注射針組立体（同様に前述したような）が装着されている、本発明の別の実施例について記述する。６つの注射針組立体があり、其々が参照番号８０ａ、８０ｂ、８０ｃ、８０ｄ、８０ｅ、８０ｆにより特定されている。図１０には６つの内容物符号８４ａ、８４ｂ、８４ｃ、８４ｄ、８４ｅ、８４ｆも示しており、その其々がその他の内容物符号に対して異なり、注射器８０ａ〜８０ｆの１つに永久に直接に形成されている。特に、内容物符号８４ａ〜８４ｆは注射器８０ａ〜８０ｆのプランジャに、色符号標識と文字符号標識を組み合わせて付与されている。他の内容物符号形式も変形例として又は上述のものに加えて使用できる。例えば、色符号標識及び／又は文字符号標識を、注射器本体、注射針組立体８２ａ〜８２ｆ、又は両方に付与可能である。
【００３８】
各内容物符号８４ａ〜８４ｆにより、それに関連する注射器８０ａ〜８０ｆが供給する注射器内容物種類を識別でき、各内容物符号８４ａ〜８４ｆは、異なる注射器に使用して異なる注射器内容物の種類を受容するよう構成した１組の内容物符号から選択される。例えば、内容物符号８４ａには、”麻酔薬”と書かれた文字符号標識及び赤色で線が引かれた色符号標識を含む。内容物符号８４ｂには、”弛緩薬”と書かれた文字符号標識及び黄色で線が引かれた色符号標識を含む。内容物符号８４ｃには、”局部麻酔薬”と書かれた文字符号標識及び青色で線が引かれた色符号標識を含む。内容物符号８４ｄには、”拮抗薬”と書かれた文字符号標識及び緑色で線が引かれた色符号標識を含む。内容物符号８４ｅには、”血管収縮薬”と書かれた文字符号標識及び橙色で線が引かれた色符号標識を含む。内容物符号８４ｆには、”血管拡張薬”と書かれた文字符号標識及び紫色で線が引かれた色符号標識を含む。 
【００３９】
注目すべきは、上記の内容物符号８４ａ〜８４ｆで識別される注射器内容物の種類は、全て、個々の薬剤よりもむしろ生物活性剤のカテゴリーを示していることである。これは、本発明により使用する内容物符号が、決して個々の薬剤を示すことが不可能だと意味することを意図するものではない。それどころか、注射器内容物の種類の概念として、注射器が供給する特定の薬剤と同様にその特定の薬剤が属するカテゴリー又は群との両方を含包するものである。例えば、注射器でモルヒネを供給する場合、その内容物符号を特にモルヒネを識別するよう選択できる。或いは、モルヒネを収容する注射器の内容物符号を、モルヒネが属する、即ち、麻酔薬群のカテゴリーとして識別するよう選択できる。個々の薬剤を識別するのに内容物符号を使用する際の唯一の問題点は、各薬剤を個々に識別するために、比較的多数の内容物符号化した注射器を作成する必要がある、という点である。それに対して、内容物符号を薬剤カテゴリーと関連付ければ、極めて少数の内容物を符号化した注射器が必要となるだけである。その上、殆どの医療処置ではどの注射器薬剤カテゴリーからでも１つの注射器薬剤のみが要求されるため、特定の薬剤を識別する必要はなく、殆どの場合にこのカテゴリーによる方法を利用できる。万一同じカテゴリーの２つの薬剤を特別な医療処置のために別々に識別する必要が出てきた場合には、たとえ注射器セットの他の注射器にはカテゴリーを特定する内容物符号を付与していても、それらの注射器に対して薬剤を特定する内容物符号を選択することで対応可能である。換言すれば、医療処置での要求により、薬剤を特定する内容物符号とカテゴリーを特定する内容物符号を、どの注射器セットにおいても、混合しても組み合わせてもよい。
【００４０】
図１０に示すような注射器セットは、比較的容易に、各注射器及びその内容物を処置の過程を通じて継続的に容易に正確に識別する可能性を有するため、該注射器セットの注射器を医療処置で使用する際に生かされるかも知れない。このように、本発明の別の例示的な実施例によれば、上記種類の注射器内容物の符号を使用して、１組の複数の医療処置用注射器が供給する注射器内容物の識別を極めて向上させることにより、特に、注射器を通常のようにトレイに並行に配列して使用する際には、改善された方法が提供される。この場合もまた、内容物符号は典型的には生物活性剤のカテゴリーを示すが、個々の薬剤に関しても、そうした特定が必要であれば示すことも可能である。
【００４１】
本方法の第１ステップによれば、図１０に示すような１組の注射器を医療処置用に選択する。注射器がまだ注射針組立体と結合していない場合は、その後適切な数の注射針組立体を選択して注射器に装着して注射器／注射針組立体対を形成する。各注射器／注射針組立体対に関して、注射器、注射針組立体又はそれら両方には、上述した内容物符号形式のいずれかに従って、其々に永久に形成した其々に独自な内容物符号を有して、注射器内容物の種類を識別する。注射器／注射針組立体対の内容物符号に文字が含まれる場合は、その注射器／注射針組立体対を直ぐに使用して、対応する内容物質の瓶又は他の供給源から注射器内容物を取出してもよい。内容物符号に文字が含まれず、色のみに基づく場合は、注射器内容物の特定の種類と関連する各色符号との相関関係を設定しなければならない。 場合によっては、注射器又は注射針組立体の選択時に、各内容物符号を注射器内容物の種類に割り当てて、必要な相関関係を“その場で”設定できる。或いは、必要な相関関係を、注射器／注射針組立体対を準備する担当の個々の医師により、又はより好ましくは、処置を実施する医療施設により、さらにより好ましくは、地域、州、又は国の医療局又は医師会により設定された基準に従い予め設定できる。図１０の注射器セット及び図１〜９の様々な個々の注射器の例では、使用されるであろう１つの例示的な注射器内容物の種類／色符号の相関構成を示した。この構成を以下に表１で纏める。
【００４２】
【表１】
2006520639.tif 000003
【００４３】
適切な内容物符号／内容物の種類の相関関係が設定されている、又は内容物符号に文字を含むために相関関係が既定により存在すると想定すると、注射器／注射針組立体対を、割当てられた内容物符号による注射器内容物で予め充填してもよい。その後、注射器／注射針組立体対を、注射器／注射針組立体を取り合わせて、トレイなどに、配列して、医療処置で使用してもよい。各注射器／注射針組立体対を、ここで必要に応じて選択して使用してもよく、この選択については、内容物符号を用いて各注射器／注射針組立体対及びその内容物を、取り合わせ中の全ての他の注射器／注射針組立体対から個々に識別して行なう。このようにして、注射器の誤識別及び有害となる可能性のある物質の誤投与の確率が、完全ではないにしろ、著しく減少する。
【００４４】
よって、医療処置用の、内容物を符号化した注射器と共に、内容物を符号化した注射器のセット及び注射器識別方法が、開示されたことになる。本発明の実施を通して、全ての薬剤、麻酔薬、他の薬剤に関して明確に正確に継続的に識別できるようになるので、害を及ぼす誤りや事故死をより確実に回避できるだろう。本発明の様々な実施例を開示したが、多くの変形例及び別の実施例を、ここで記述した教示に従って実施可能であることは明白である。例えば、インク又は塗料などにより形成した色内容物符号を使用する代わりに、図１１では、注射器９２に配置した発光ダイオード（ＬＥＤ）９０を示している。ＬＥＤ９０を選択して固有波長で発光させて色符号標識を提供する。 
【００４５】
これまで説明した様々な内容物を符号化する案では、色や文字など人間に解読可能な内容物符号（人間に解読可能な数字及び英数字符号も使用可能）を利用しているとも理解される。加えて、本発明は機械可読な内容物符号を使用して実施することも可能である。例えば、図１２に示すように、低出力の無線周波数（ＲＦ）で内容物符号信号を送信する識別タグ１００を注射器１０２のある部分に取付けることも可能である。この内容物符号信号を、内容物符号を読取り検証して注射器内容物を識別する受信装置１０４で受信するだろう。別の他の実施例では、図１３に示すように、バーコード１１０を注射器１１２のある部分に取付けるだろう。バーコード１１２には内容物符号情報を保有し、内容物符号を読み取り検証して注射器内容物を識別するバーコード読み取り装置１１４により、光学的にスキャンするだろう。さらなる別の他の実施例では、図１４に示すように、磁気帯１２０を注射器１２２のある部分に取付けるだろう。この帯には磁気的に内容物符号情報が符号化されており、内容物符号を読み取り検証して注射器内容物を識別する磁気読み取り装置１２４で、この帯を読み取るだろう。 
【００４６】
前述の見地から、当然のことながら、本発明は、付記されたクレーム及びそれらと同等なものの精神に従うことを除き、決して限定されるものではない。
【図面の簡単な説明】
【００４７】
本発明の前述及び他の特徴及び効果は、以下の添付図面で説明されるような、本発明の好適実施例のより詳細な記述からより明らかである。  
【図１】色で符号化したプランジャを使用した、本発明の一実施例により構成された内容物を符号化した注射器の分解図である。
【図１Ａ】図１の１Ａ‐１Ａ線に沿った断面図である。
【図１Ｂ】図１の１Ｂ‐１Ｂ線に沿った断面図である。
【図１Ｃ】図１の１Ｃ‐１Ｃ線に沿った断面図である。
【図１Ｄ】図１の１Ｄ‐１Ｄ線に沿った断面図である。
【図１Ｅ】図１の１Ｅ‐１Ｅ線に沿った断面図である。
【図１Ｆ】図１の１Ｆ‐１Ｆ線に沿った断面図である。
【図２】色で符号化した及び文字で符号化したプランジャを使用した、本発明の別の実施例により構成した内容物を符号化した注射器の分解図である。
【図３】色付きの文字で符号化したプランジャを使用した、本発明の別の実施例により構成した内容物を符号化した注射器の分解図である。
【図４】色で符号化したプランジャ及び色付きの文字で符号化した略筒状体を使用した、本発明の別の実施例により構成した内容物を符号化した注射器の分解図である。
【図５】色で符号化したプランジャ及び文字で符号化した略筒状体を使用した、本発明の別の実施例により構成した内容物を符号化した注射器の分解図である。
【図６】色で符号化した略筒状体を使用した、本発明の別の実施例により構成した内容物を符号化した注射器の分解図である。
【図７】色で符号化し文字で符号化した略筒状体を使用した、本発明の別の実施例により構成した内容物を符号化した注射器の分解図である。
【図８】色付きの文字で符号化した略筒状体を使用した、本発明の別の実施例により構成した内容物を符号化した注射器の分解図である。
【図９】色で符号化した注射針組立体を使用した、本発明の別の実施例により構成した内容物を符号化した注射器の分解図である。
【図１０】医療処置で使用するために配列した１組の内容物を符号化した注射器を示す斜視図である。
【図１１】発光ダイオードを使用した、内容物を符号化した注射器を示す斜視図である。
【図１２】内容物符号信号を無線受信装置に送信する無線周波数を発する識別タグを使用した、内容物を符号化した注射器を示す斜視図である。
【図１３】バーコード読み取り装置により読み取られるバーコードを使用した、内容物を符号化した注射器を示す斜視図である。
【図１３】磁気読み取り装置により読み取られる磁気帯を使用した、内容物を符号化した注射器を示す斜視図である。
【符合の説明】
【００４８】
２            注射器
４            略筒状体
６            プランジャ
８            注射針組立体
１０            開口端部
１２            閉端部
１４            バレル部分
１６            開口部
１８            指掛フランジ
２０            円錐台状の肩部
２２            ルアーロックチップ
２３            内部ネジ溝パターン
２４            筒状ノズル
２６            中央オリフィス
２８            側壁部
３０            目盛
３２            液体チャンバ
３４            先端部
３６            基端部
３８            ステム部
４０            ストッパ
４２            フランジ
４４、４６、４８、５０    フランジ要素
５２、５４        円板形部材
５６            切欠き部、凹部
５８            カニューレ
６０            ルアーロックフィッティング
７０ｃ            色符号標識
７２ａ            文字符号標識
７２ｂ、７４ｃ、７４ｇ    色で符号化した文字標識
７４ｄ、７４ｆ  文字符号標識
８０ａ〜８０ｆ        注射器
８２ａ〜８２ｆ        注射針組立体
８４ａ〜８４ｆ        内容物符号
９０            発光ダイオード（ＬＥＤ）
１００            無線周波数（ＲＦ）識別タグ
１０４            受信装置
１１０            バーコード
１１４            バーコード読み取り装置
１２０            磁気帯
１２４            磁気読み取り装置
【図１】
2006520639.tif 000004
2006520639.tif 000005
【図６】
2006520639.tif 000006
【図９】
2006520639.tif 000007
【図１１】
2006520639.tif 000008
【図１２】
2006520639.tif 000009
【図１３】
2006520639.tif 000010
【図１４】
2006520639.tif 000011
【図２】
2006520639.tif 000012
【図３】
2006520639.tif 000013
【図４】
2006520639.tif 000014
【図５】
2006520639.tif 000015
【図７】
2006520639.tif 000016
【図８】
2006520639.tif 000017
【図１０】
2006520639.tif 000018
【国際調査報告】
2006520639.tif 000019